(57)【要約】【課題】  悪天候などによって、屋外の物干し竿等に掛けている洗濯物のハンガーを、容易かつ安定して室内のカーテンレールに掛け替えられ、また、ハンガーに掛けている洗濯物が、カーテンに接触しないハンガーを提供する。【解決手段】  ハンガー１は、衣類を掛ける左右一対の肩部１０と、一対の前記肩部間に取り付けられた上部フック３（鈎状フック）とを有するハンガー本体２と、一対の前記肩部間に、前記ハンガー本体２の長手方向と平行な回動軸６１により上端部を回動可能に取り付けられた回動式フック４とを備える。【選択図】  図１
2020006142.tif 000002
【特許請求の範囲】
【請求項１】
衣類を掛ける左右一対の肩部と、一対の前記肩部間に取り付けられた鈎状フックとを有するハンガー本体と、一対の前記肩部間に、前記ハンガー本体の長手方向と平行な回動軸により上端部を回動可能に取り付けられた回動式フックとを備えるハンガー。
【請求項２】
前記回動式フックは、前記回動軸を有するアーム部、前記アーム部から下方に突出する第１爪部、及び前記第１爪部と平行に、前記第１爪部との間に隙間を空けて前記アーム部から下方に突出する第２爪部とを有し、前記第１爪部と、前記アーム部と、前記第２爪部とにより凹部が形成されている請求項１に記載のハンガー。
【請求項３】
前記第２爪部は、前記第１爪部よりも長い請求項２に記載のハンガー。
【請求項４】
前記第１爪部と前記第２爪部との間の間隔は、前記回動軸に近い方が狭く、遠い方が広い請求項２又は請求項３に記載のハンガー。
【請求項５】
前記第１爪部と前記第２爪部との間の間隔が異なる複数の前記回動式フックを備える請求項２から請求項４のいずれか１項に記載のハンガー。
【請求項６】
前記鈎状フックは、前記第２爪部の先端に形成されている請求項２から請求項５のいずれか１項に記載のハンガー。
【請求項７】
前記鈎状フックは、前記アーム部の上端部に一体成形されている請求項２から請求項５のいずれか１項に記載のハンガー。
【発明の詳細な説明】
【技術分野】
【０００１】
本発明は、通常のハンガーとして、棒状のものに吊り掛けることはもとより、カーテンレールにも掛けることができるハンガーに関する。
【背景技術】
【０００２】
通常のハンガーでは、室外の物干し竿等の棒状のものに、ハンガー上部にあるフックを吊り掛けるようになっており、急な雨や強風により、室内のカーテンレール等に吊り掛けることは可能であるが、ハンガーを安定した状態で吊り掛けることが難しく、また、ハンガーに掛けた洗濯物がカーテンに接触し、洗濯物が汚れたり、カーテンが濡れたりすることがあった。
【０００３】
それに対して先行技術の中には、ハンガーとは別部品の掛け具をダブルカーテンレールに取付けて、カーテンレールより手前に、ハンガーを吊り掛けることのできる掛け具や保持具がある（特許文献１、特許文献２参照）。また、上部フックとは別に補助フックを使ってカーテンレールに吊り掛けるハンガーがある（特許文献３参照）。
【先行技術文献】
【特許文献】
【０００４】
【特許文献１】特開２００３−１１７２９４号公報
【特許文献２】特開２０１７−０７０６９５号公報
【特許文献３】特許第５３６８０２４号公報
【発明の概要】
【発明が解決しようとする課題】
【０００５】
しかしながら、上記の先行技術や通常のハンガーには、次のような問題点があった。
（イ）  通常のハンガーで、ハンガー上部にあるフックとハンガー本体とが一体になっているものでは、カーテンレールにハンガーのフックを吊り掛けると、不安定な状態でフックが吊り掛かり、ハンガーに掛けている洗濯物や衣類等がハンガーから落ちやすくなっていた。また、ハンガー上部のフックが、垂直軸回りに回動可能なものでは、ハンガーのフックをカーテンレールに、比較的安定した状態で吊り掛けることはできるが、ハンガーがカーテンのすぐ近くに位置し、ハンガーに掛けている洗濯物や衣類等がカーテンに接触し、洗濯物や衣類等が汚れたり、カーテンが濡れることがあった。
（ロ）  通常のハンガーを、壁掛け棚のような水平な板状のものに吊り掛けると、安定した吊り掛けができず、ハンガーに人の体が軽く当たるだけで、ハンガーのフックが、壁掛け棚のような水平な板状のものから簡単に外れ、ハンガーが床に落ちることがあった。
（ハ）  特許文献１に開示される懸架装置や特許文献２に開示されるハンガー掛は、ハンガーとは別部品のため、ハンガーを懸架装置やハンガー掛から取外すと、カーテンレールに懸架装置やハンガー掛だけが残り、部屋の印象が良くなかった。
（ニ）  また、特許文献１に開示される懸架装置や特許文献２に開示されるハンガー掛は、カーテンレールから取外すのに手間がかかり、紛失する問題があった。
（ホ）  また、特許文献３に開示されるハンガーは、カーテンレールに掛けるための補助フックを備えているが、ハンガーがカーテンのすぐ近くに位置し、洗濯物がカーテンに接触し、洗濯物が汚れたり、カーテンが濡れる問題があった。また、カーテンレールに吊り掛ける補助フックの位置が、ハンガーの幅の広い左右方向の中心から、左右のどちらかに外れた位置になり、吊り掛けたハンガーが傾く問題があった。本発明は、これらの問題点を解決するためになされたものである。
【課題を解決するための手段】
【０００６】
上記課題を解決するために、請求項１に記載のハンガーは、衣類を掛ける左右一対の肩部と、一対の前記肩部間に取り付けられた鈎状フックとを有するハンガー本体と、一対の前記肩部間に、前記ハンガー本体の長手方向と平行な回動軸により上端部を回動可能に取り付けられた回動式フックとを備えることを特徴とする。
【発明の効果】
【０００７】
本発明のハンガーによれば、通常のハンガーとして、上部フック（鈎状フック）を使用することで、物干し竿等の棒状のものに吊り掛けることはもとより、回動式フックを使用することで、ダブルカーテンレールや壁掛け棚のような水平な板状のものに、容易かつ安定して掛けることができるので、天候が悪化した時に、屋外の物干し竿等の棒状のものに吊り掛けた状態から、簡単に室内のダブルカーテンレールや水平な板状のものに、移動させて掛けることができる。
【０００８】
また、本発明のハンガーによれば、前記回動式フックを前記ダブルカーテンレールに掛けた時に、ハンガー本体は、回動式フックのアーム部の長さにより、該ダブルカーテンレールに吊り下げたカーテンから手前に離れた位置になり、該ハンガー本体に掛けている洗濯物や衣類等が、該カーテンに接触しないので、該洗濯物は汚れることはなく、また、該カーテンは濡れない効果がある。  
【０００９】
また、本発明のハンガーによれば、前記回動式フックと、前記ハンガー本体は連結されているので、前記回動式フックを紛失する心配がない。
【図面の簡単な説明】
【００１０】
【図１】本発明に係るハンガーの回動式フックを使用しない場合の斜視図である。
【図２】本発明に係るハンガーの回動式フックを使用しない場合の断面側面図である。
【図３】本発明に係るハンガーの回動式フックをダブルカーテンレールに掛けた状態の斜視図である。
【図４】本発明に係るハンガーの回動式フックをダブルカーテンレールに掛けた状態の断面側面図である。
【図５】本発明に係るハンガーの回動式フックをダブルカーテンレールに掛け、ハンガー本体に衣類を掛けた状態の斜視図である。
【図６】本発明に係るハンガーの回動式フックを壁掛け棚のような水平な板状のものに掛けた状態の斜視図である。
【図７】本発明に係るハンガーの回動式フックを壁掛け棚のような水平な板状のものに掛けた状態の断面側面図である。
【図８】本発明に係るハンガーの上部フックを物干し竿等の棒状のものに吊り掛けた状態の斜視図である。
【図９】本発明に係るハンガーの回動式フックを使用しない場合の断面正面図である。
【図１０】本発明に係るハンガーの肩部の厚さの範囲から回動式フックの厚さの範囲が、はみ出さない場合の断面側面図である。
【図１１】本発明に係るハンガーの回動式フックの上向きの回動を止めるための、係止部を設けた場合の断面側面図である。
【図１２】本発明に係るハンガーの回動式フック第１爪部を階段形状にした場合の断面側面図である。
【図１３】本発明に係るハンガーの回動式フックに第１回動式フックと、第２回動式フックとの、２つを備えた場合の斜視図である。
【図１４】本発明に係るハンガーの回動式フックの第２爪部の先端に上部フックを設けた場合の斜視図である。
【図１５】本発明に係るハンガーの回動式フックの回動軸を中心として、第１爪部及び第２爪部の反対側（上端部）に上部フックを設けた場合の斜視図である。
【図１６】本発明に係るハンガーの回動式フックに一本の爪部のみを設けた場合の断面側面図である。
【発明を実施するための形態】
【００１１】
実施の形態１．
以下、本発明に係るハンガーの実施形態１を図１〜図１６を参照して説明する。本明細書において、ハンガー本体について「上」、「下」等、位置関係をというときは、ハンガー本体を使用する状態における「上」、「下」等の位置関係をいうものとする。また、回動式フックについて「上」、「下」等、位置関係をいうときは、回動式フックを使用する状態における「上」、「下」等の位置関係をいうものとする。
【００１２】
図１は、ハンガー１の斜視図である。ハンガー１を通常のハンガーとして、物干し竿等の棒状のものに吊り掛ける時はこの状態で使用する。図１に示すように、本発明のハンガー１は、水平横棒１１の両端から斜めに、水平横棒１１の内側上方に向かって延びる、左右一対の肩部１０、それぞれの肩部１０の内側端部から上方に延びる一対の支持部１０ａ、それぞれの支持部１０ａの上端を接続する上端結合部１０ｂ、上端結合部１０ｂに設けた上部フック３（鈎状フック）を有するハンガー本体２と、一対の支持部１０ａの間に、ハンガー本体２の長手方向に平行な回動軸６１によって、その上端部を回動可能に取り付けられた回動式フック４とから構成されている。肩部１０は衣類を掛ける部分である。
【００１３】
上部フック３は、物干し竿にハンガー１を吊す場合に使用する通常のフックであり、上部フック３はハンガー本体２と一体になっていてもよく、または上部フック３をハンガー本体２に連結させて、垂直軸回りに回転（矢印Ｍにて示す方向）できる上部フック３でもよい。上記説明では、回動式フック４を一対の支持部１０ａの間に設けているが、これを、一対の肩部１０の内側端部間に設けても良い。
【００１４】
図２は、回動式フック４を使用しない場合の断面側面図である。回動式フック４の先端部５が下方に垂れ下がっている状態において、回動式フック４の先端部５と、水平横棒１１との間には、洗濯物や衣類等を掛けるためのすき間Ｌが設けられている。回動式フック４は、上端部に回動軸６１を有するアーム部６、アーム部６から下方に突出する第１爪部６２、及び第１爪部６２と平行に、第１爪部６２との間に間隔を空けてアーム部６から下方に突出する第２爪部６３とから構成されている。図２に示すように、回動式フック４の、第１爪部６２とアーム部６と第２爪部６３とにより凹部が形成されており、第２爪部６３は、第１爪部６２よりも長い。
【００１５】
図３は、回動式フック４を、ダブルカーテンレール２０に掛けた状態（使用状態）の斜視図であり、図４は、回動式フック４をダブルカーテンレール２０に掛けた状態の断面側面図である。図３、４に示すように、回動式フック４を下方から横に約９０度回動（矢印Ｋにて示す方向の回動）させた状態で、ダブルカーテンレール２０の、手前のカーテンレールの上面２１に第１爪部６２の下面７が係止され、壁側のカーテンレールの下面２２に第２爪部６３の上面８が係止される。これにより、ハンガー１を、ダブルカーテンレール２０に安定して掛けることができる。
【００１６】
また、図４に示すように、回動式フック４をダブルカーテンレール２０に掛けた状態では、ハンガー本体２の位置は、回動式フック４のアーム部６の長さにより、ダブルカーテンレール２０に吊り下げたカーテン２３から手前に離れた位置になり、ハンガー本体２に掛けている洗濯物や衣類等が、カーテン２３に接触しないようになっている。
【００１７】
図５は、回動式フック４をダブルカーテンレール２０に掛け、ハンガー本体２に衣類２４を掛けた状態の斜視図である。この状態において、回動式フック４から肩部１０の間に距離Ｐを設けることで、ハンガー本体２に掛けた衣類２４が、回動式フック４に接触しなくなり、回動式フック４による衣類２４へのしわが付かなくなる。
【００１８】
図６は、回動式フック４を壁掛け棚のような水平な板状のもの２５に掛けた状態の斜視図であり、図７は、回動式４フックを壁掛け棚のような水平な板状のもの２５に掛けた状態の断面側面図である。図７に示すように、回動式フック４を下方から横に約９０度回動させた状態で、壁掛け棚のような水平な板状のもの２５の、水平な板の上面２６に回動式フック４の第１爪部６２の下面７を係止し、また、水平な板の下面２７に回動式フック４の第２爪部６３の上面８を係止することで、ハンガー１を壁掛け棚のような水平な板状のもの２５に安定して掛けることができる。
【００１９】
図８は、上部フック３を物干し竿等の棒状のもの２８に吊り掛けた状態の斜視図である。回動式フック４の先端部５が下に垂れ下がった状態では、通常のハンガーと同様の物干し竿等の棒状のもの２８に、上部フック３を吊り掛けての使用ができる。
【００２０】
このように、通常のハンガーと同様の物干し竿等の棒状のもの２８に吊り掛けるハンガーとしても、ダブルカーテンレール２０や壁掛け棚のような水平な板状のもの２５に掛けるハンガーとしても使用できる。なお、本実施の形態では、水平横棒１１を備えるハンガーとしたが、水平横棒を省略してもよい。また、支持部１０ａを省略し、一対の肩部１０の内側端部に回動軸６１を取り付け、回動式フックの上端中央部に上部フックを設けてもよい。また、第１爪部と第２爪部の長さは同じでもよい。
【００２１】
実施の形態２．
以下、本発明に係るハンガーの実施の形態２を、実施の形態１と異なる部分を中心に説明する。図９は、回動式フック２０４を使用しない状態のハンガー２０１の断面正面図である。本実施形態のハンガー２０１は、回動式フック２０４の先端部２０５が下に垂れ下がった状態において、回動式フック２０４が固定できるように、回動式フック２０４に設けられた凸部１４が、ハンガー本体２０２の支持部２１０ａに設けられた凹部１５に掛かり、回動式フック２０４がハンガー本体２０２に固定されるものである。また、この回動式フック２０４とハンガー本体２０２に設けられた凸部１４と凹部１５は、回動式フック２０４側が凹部で、ハンガー本体２０２側が凸部になった逆のものでもよい。
【００２２】
実施の形態３．
以下、本発明に係るハンガーの実施の形態３を、実施の形態１と異なる部分を中心に説明する。
図１０は、肩部３１０の厚さの範囲Ｒから回動式フックの厚さの範囲Ｓが、はみ出さないハンガー３０１の断面側面図である。ハンガー３０１は、回動式フック３０４の先端部３０５が下に垂れ下がっている状態で、側面から見て、肩部４１０の厚さの範囲Ｒから、回動式フックの厚さの範囲Ｓが、はみ出さないようにして、ハンガー本体３０２に掛けた衣類に回動式フック３０４が接触しにくくし、衣類へのしわが付きにくくなるようにしている。
【００２３】
実施の形態４．
以下、本発明に係るハンガーの実施の形態４を、実施の形態１と異なる部分を中心に説明する。
図１１は、回動式フック４０４の上向きの回動を止めるための、係止部１６を設けたハンガー４０１の断面側面図である。ハンガー４０１のアーム部４０６には、回動式フックの係止部１６ａを設け、支持部４１０ａには、支持部の係止部１６ｂを設けている。回動式フック４０４を下方から横に約９０度回動させた時に、回動式フック４０４は、回動式フックの係止部１６ａが支持部の係止部１６ｂに接触したところで回動が止まり、それ以上は上に回動しないようにしている。
【００２４】
回動軸６１の位置を、ハンガー４０１全体の重心位置より上にすることで、回動式フック４０４をダブルカーテンレール２０や壁掛け棚のような水平な板状のもの２５に、ハンガー４０１のみで掛ける時に、安定して掛けることができる。
【００２５】
実施の形態５．
以下、本発明に係るハンガーの実施の形態５を、実施の形態１と異なる部分を中心に説明する。
図１２は、回動式フック５０４の第１爪部５６２を階段形状にしたハンガー５０１の断面側面図である。第１爪部５６２と第２爪部５６３との間の間隔は、回動軸５６１に近い方が狭く、遠い方が広い２段階となっている。ハンガー５０１は、ダブルカーテンレールの厚さＴによって、凹部５６６の回動軸５６１に近い部分と遠い部分を使い分けて使用できる。また段の数は３段以上であってもよい。
【００２６】
実施の形態６．
以下、本発明に係るハンガーの実施の形態６を、実施の形態１と異なる部分を中心に説明する。
図１３は、第１回動式フック６０４ａと、第２回動式フック６０４ｂとの、２つの回動式フックを備えるハンガー６０１の斜視図である。第１回動式フック６０４ａの第１爪部６６２ａと第２爪部６６３ａとの間の間隔は、第２回動式フック６０４ｂの第１爪部６６２ｂと第２爪部６６３ｂとの間の間隔より広い。ハンガー６０１は、ダブルカーテンレールの厚さＴによって、２つの回動式フックを使い分けて使用できる。また回動式フックの数は３つ以上の回動式フックにしてもよい。
【００２７】
実施の形態７．
以下、本発明に係るハンガーの実施の形態７を、実施の形態１と異なる部分を中心に説明する。
図１４は、回動式フック７０４の第２爪部７６３の先端に上部フック７０３を設けたハンガー７０１の斜視図である。ハンガー７０１の第２爪部７６３の先端に通常の上部フック７０３を設け、物干し竿等の棒状のものに吊り掛けて使用する場合は、第２爪部７６３を上に１８０度回動させて上部フック７０３を使用し、ダブルカーテンレールや壁掛け棚のような水平な板状のものに、掛けて使用する場合は、回動式フック７０４を掛ける向きに約９０度回動させて使用することができる。
【００２８】
実施の形態８．
以下、本発明に係るハンガーの実施の形態８を、実施の形態１と異なる部分を中心に説明する。
図１５は、回動式フックの回動軸８６１を中心として、第１爪部８６２及び第２爪部８６３の反対側（上端部）に上部フック８０３を設けたハンガー８０１の斜視図である。このような構成とすると、上部フック８０３と回動式フック８０４を一体として形成できるので、ハンガー８０１の製造コストを低減できる利点がある。
【００２９】
実施の形態９．
以下、本発明に係るハンガーの実施の形態９を、実施の形態１と異なる部分を中心に説明する。
図１６は、回動式フック９０４に一本の爪部９６５のみを設けたハンガー９０１の断面側面図である。ハンガー９０１は、ダブルカーテンレール間の上方から、爪部９６５を差込む。そして、壁側のカーテンレールの下面２２に爪部９６５の先端部の上面９６５Ｕを掛け、また、手前のカーテンレールの上面２１に爪部９６５の下面９６５Ｄを掛けることで、ハンガー９０１がダブルカーテンレール２０に安定して掛けることができる。なお、爪部９６５を、図に示すようにカーテンレールの外周に沿うように凹ませることにより、ハンガー９０１をより安定して掛けることができる。
【産業上の利用可能性】
【００３０】
以上のように、本発明のハンガーは、ハンガー本体に連結された、回動式フックを使用すれば、容易かつ安定して室内のダブルカーテンレールや壁掛け棚のような水平な板状のものに掛けられ、また、通常のハンガーと同様に物干し竿等の棒状のものに吊り掛けることも可能である。
【符号の説明】
【００３１】
１，２０１，３０１，４０１，５０１，６０１，７０１，８０１，９０１  ハンガー、
２，２０２，３０２  ハンガー本体、
３，７０３，８０３  上部フック、
４，２０４，３０４，４０４，５０４，６０４ａ，６０４ｂ，７０４，８０４，９０４  回動式フック、
５，２０５，３０５  先端部、６，４０６  アーム部、６１，５６１，８６１  回動軸、
６２，５６２，６６２ａ，６６２ｂ，８６２  第１爪部、
６３，５６３，６６３ａ，６６３ｂ，７６３，８６３  第２爪部、
９６５  爪部、５６６  凹部、
１０，３１０  肩部、１０ａ，２１０ａ，４１０ａ  支持部、１０ｂ  上端結合部、１１  水平横棒、
１４  凸部、１５  凹部、
７，２２，２７，９６５Ｄ  下面、８，２１，２６，９６５Ｕ  上面、Ｋ，Ｍ  矢印、
Ｌ  すき間、Ｐ  距離、Ｒ，Ｓ  範囲、Ｔ  ダブルカーテンレールの厚さ、
１６  係止部、１６ａ  回動式フックの係止部、１６ｂ  支持部の係止部、
２０  ダブルカーテンレール、２３  カーテン、２４  衣類、
２５  壁掛け棚のような水平な板状のもの、２８  物干し竿等の棒状のもの
【図１】
2020006142.tif 000003
【図２】
2020006142.tif 000004
【図３】
2020006142.tif 000005
【図４】
2020006142.tif 000006
【図５】
2020006142.tif 000007
【図６】
2020006142.tif 000008
【図７】
2020006142.tif 000009
【図８】
2020006142.tif 000010
【図９】
2020006142.tif 000011
【図１０】
2020006142.tif 000012
【図１１】
2020006142.tif 000013
【図１２】
2020006142.tif 000014
【図１３】
2020006142.tif 000015
【図１４】
2020006142.tif 000016
【図１５】
2020006142.tif 000017
【図１６】
2020006142.tif 000018
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
衣類を掛ける左右一対の肩部と、一対の前記肩部間に取り付けられた鈎状フックとを有するハンガー本体と、一対の前記肩部間に、前記ハンガー本体の長手方向と平行な回動軸により上端部を回動可能に取り付けられた回動式フックとを備え、
前記回動式フックは、前記回動軸を有するアーム部、前記アーム部から下方に突出する第１爪部、及び前記第１爪部と平行に、前記第１爪部との間に隙間を空けて前記アーム部から下方に突出する第２爪部とを有し、前記第１爪部と、前記アーム部と、前記第２爪部とにより凹部が形成されているハンガー。
【請求項２】
前記第２爪部は、前記第１爪部よりも長い請求項１に記載のハンガー。
【請求項３】
前記第１爪部と前記第２爪部との間の間隔は、前記回動軸に近い方が狭く、遠い方が広い請求項１又は請求項２に記載のハンガー。
【請求項４】
前記第１爪部と前記第２爪部との間の間隔が異なる複数の前記回動式フックを備える請求項１から請求項３のいずれか１項に記載のハンガー。
【請求項５】
前記鈎状フックは、前記第２爪部の先端に形成されている請求項１から請求項４のいずれか１項に記載のハンガー。
【請求項６】
前記鈎状フックは、前記アーム部の上端部に一体成形されている請求項１から請求項４のいずれか１項に記載のハンガー。
【手続補正２】
【補正対象書類名】明細書
【補正対象項目名】０００６
【補正方法】変更
【補正の内容】
【０００６】
上記課題を解決するために、請求項１に記載のハンガーは、衣類を掛ける左右一対の肩部と、一対の前記肩部間に取り付けられた鈎状フックとを有するハンガー本体と、一対の前記肩部間に、前記ハンガー本体の長手方向と平行な回動軸により上端部を回動可能に取り付けられた回動式フックとを備え、前記回動式フックは、前記回動軸を有するアーム部、前記アーム部から下方に突出する第１爪部、及び前記第１爪部と平行に、前記第１爪部との間に隙間を空けて前記アーム部から下方に突出する第２爪部とを有し、前記第１爪部と、前記アーム部と、前記第２爪部とにより凹部が形成されていることを特徴とする。
【手続補正３】
【補正対象書類名】明細書
【補正対象項目名】０００９
【補正方法】変更
【補正の内容】
【０００９】
また、本発明のハンガーによれば、前記回動式フックと、前記ハンガー本体は連結されているので、前記回動式フックを紛失する心配がない。
さらに、本発明のハンガーによれば、前記回動式フックの前記第１爪部と、前記アーム部と、前記第２爪部とにより凹部が形成されているので、前記回動式フックを下方から横に約９０度回動させた状態では、ダブルカーテンレールの手前のカーテンレールの上面に第１爪部の下面を係止させ、壁側のカーテンレールの下面に第２爪部の上面を係止させることができる。また、壁掛け棚のような水平な板の上面に第１爪部の下面を係止させ、当該板の下面に第２爪部の上面を係止させることができる。これにより、ハンガーをダブルカーテンレールや水平な板に安定して掛けることができる。
【手続補正４】
【補正対象書類名】明細書
【補正対象項目名】００１０
【補正方法】変更
【補正の内容】
【００１０】
【図１】本発明に係るハンガーの回動式フックを使用しない場合の斜視図である。
【図２】本発明に係るハンガーの回動式フックを使用しない場合の断面側面図である。
【図３】本発明に係るハンガーの回動式フックをダブルカーテンレールに掛けた状態の斜視図である。
【図４】本発明に係るハンガーの回動式フックをダブルカーテンレールに掛けた状態の断面側面図である。
【図５】本発明に係るハンガーの回動式フックをダブルカーテンレールに掛け、ハンガー本体に衣類を掛けた状態の斜視図である。
【図６】本発明に係るハンガーの回動式フックを壁掛け棚のような水平な板状のものに掛けた状態の斜視図である。
【図７】本発明に係るハンガーの回動式フックを壁掛け棚のような水平な板状のものに掛けた状態の断面側面図である。
【図８】本発明に係るハンガーの上部フックを物干し竿等の棒状のものに吊り掛けた状態の斜視図である。
【図９】本発明に係るハンガーの回動式フックを使用しない場合の断面正面図である。
【図１０】本発明に係るハンガーの肩部の厚さの範囲から回動式フックの厚さの範囲が、はみ出さない場合の断面側面図である。
【図１１】本発明に係るハンガーの回動式フックの上向きの回動を止めるための、係止部を設けた場合の断面側面図である。
【図１２】本発明に係るハンガーの回動式フック第１爪部を階段形状にした場合の断面側面図である。
【図１３】本発明に係るハンガーの回動式フックに第１回動式フックと、第２回動式フックとの、２つを備えた場合の斜視図である。
【図１４】本発明に係るハンガーの回動式フックの第２爪部の先端に上部フックを設けた場合の斜視図である。
【図１５】本発明に係るハンガーの回動式フックの回動軸を中心として、第１爪部及び第２爪部の反対側（上端部）に上部フックを設けた場合の斜視図である。
【手続補正５】
【補正対象書類名】明細書
【補正対象項目名】００２９
【補正方法】削除
【補正の内容】
【手続補正６】
【補正対象書類名】明細書
【補正対象項目名】００３１
【補正方法】変更
【補正の内容】
【００３１】
１，２０１，３０１，４０１，５０１，６０１，７０１，８０１  ハンガー、
２，２０２，３０２  ハンガー本体、
３，７０３，８０３  上部フック、
４，２０４，３０４，４０４，５０４，６０４ａ，６０４ｂ，７０４，８０４  回動式フック、
５，２０５，３０５  先端部、６，４０６  アーム部、６１，５６１，８６１  回動軸、
６２，５６２，６６２ａ，６６２ｂ，８６２  第１爪部、
６３，５６３，６６３ａ，６６３ｂ，７６３，８６３  第２爪部、
５６６  凹部、
１０，３１０  肩部、１０ａ，２１０ａ，４１０ａ  支持部、１０ｂ  上端結合部、１１  水平横棒、
１４  凸部、１５  凹部、
７，２２，２７  下面、８，２１，２６  上面、Ｋ，Ｍ  矢印、
Ｌ  すき間、Ｐ  距離、Ｒ，Ｓ  範囲、Ｔ  ダブルカーテンレールの厚さ、
１６  係止部、１６ａ  回動式フックの係止部、１６ｂ  支持部の係止部、
２０  ダブルカーテンレール、２３  カーテン、２４  衣類、
２５  壁掛け棚のような水平な板状のもの、
２８  物干し竿等の棒状のもの。
【手続補正７】
【補正対象書類名】図面
【補正対象項目名】図１６
【補正方法】削除
【補正の内容】